(57)【要約】【課題】疲労感を軽減しつつ、３Ｄコンテンツを効果的に視聴させることができるようにする。【解決手段】表示制御装置１においては、左目用画像のデータと右目用画像のデータを含む３Ｄコンテンツの再生が行われる。現在の再生位置がCM区間の位置になった場合、画像の再生方式が、それまで採用されていた３Ｄ再生から２Ｄ再生に切り替えられ、番組に含まれるCM区間の画像が２Ｄ画像として表示される。また、CM区間の再生が終了し、現在の再生位置が番組本編区間の位置になったとき、画像の再生方式が２Ｄ再生から３Ｄ再生に戻され、番組本編区間の画像が３Ｄ画像として表示される。本発明は動画のコンテンツを再生する録画機器に適用することができる。【選択図】図１
2011101230.tif 000002
【特許請求の範囲】
【請求項１】
コンテンツの画像データと音声データのうちの少なくとも一方の特徴を抽出する抽出手段と、
前記抽出手段により抽出された特徴に基づいて、前記コンテンツの所定のシーンを検出する検出手段と、
前記コンテンツを再生する再生手段と、
前記コンテンツの再生位置が、前記検出手段により検出された前記所定のシーンの区間の位置である場合、前記コンテンツの画像を２次元画像として認識させるように表示し、前記コンテンツの再生位置が前記所定のシーンの区間以外の位置である場合、前記コンテンツの画像を３次元画像として認識させるように表示する表示制御手段と
を備える表示制御装置。
【請求項２】
再生対象として入力された前記コンテンツが、画像データとして２次元画像を表示するための画像データのみを含むコンテンツである場合、入力された前記コンテンツを、３次元画像を表示するための、相互に視差を含む左目用画像のデータと右目用画像のデータを含むコンテンツに変換する変換手段をさらに備え、
前記表示制御手段は、前記所定のシーンの区間以外の前記コンテンツの画像を、前記変換手段により変換された前記コンテンツに基づいて表示し、前記所定のシーンの前記コンテンツの画像を、入力された前記コンテンツに基づいて表示する
請求項１に記載の表示制御装置。
【請求項３】
再生対象として入力された前記コンテンツが、画像データとして相互に視差を含む左目用画像のデータと右目用画像のデータを含むコンテンツである場合、
前記表示制御手段は、前記所定のシーンの区間以外の前記コンテンツの画像を、入力された前記コンテンツに基づいて表示し、前記所定のシーンの前記コンテンツの画像を、左目用画像のデータと右目用画像のデータのうちの一方に基づいて表示する
請求項１に記載の表示制御装置。
【請求項４】
前記コンテンツはテレビジョン番組のデータであり、前記所定のシーンの区間はテレビジョン番組に含まれるCM区間である
請求項１に記載の表示制御装置。
【請求項５】
コンテンツの画像データと音声データのうちの少なくとも一方の特徴を抽出し、
抽出した特徴に基づいて、前記コンテンツの所定のシーンを検出し、
前記コンテンツを再生し、
前記コンテンツの再生位置が、検出した前記所定のシーンの区間の位置である場合、前記コンテンツの画像を２次元画像として認識させるように表示し、前記コンテンツの再生位置が前記所定のシーンの区間以外の位置である場合、前記コンテンツの画像を３次元画像として認識させるように表示する
ステップを含む表示制御方法。
【請求項６】
コンテンツの画像データと音声データのうちの少なくとも一方の特徴を抽出し、
抽出した特徴に基づいて、前記コンテンツの所定のシーンを検出し、
前記コンテンツを再生し、
前記コンテンツの再生位置が、検出した前記所定のシーンの区間の位置である場合、前記コンテンツの画像を２次元画像として認識させるように表示し、前記コンテンツの再生位置が前記所定のシーンの区間以外の位置である場合、前記コンテンツの画像を３次元画像として認識させるように表示する
ステップを含むプログラム。
【請求項７】
コンテンツの画像データと音声データのうちの少なくとも一方の特徴を抽出する抽出手段と、
前記抽出手段により抽出された特徴に基づいて、前記コンテンツの所定のシーンを検出する検出手段と、
前記コンテンツを再生する再生手段と、
前記コンテンツの再生位置が、前記検出手段により検出された前記所定のシーンの区間の位置である場合、前記コンテンツの画像を２次元画像として出力し、前記コンテンツの再生位置が前記所定のシーンの区間以外の位置である場合、前記コンテンツの画像を３次元画像として出力する出力手段と
を備える出力装置。
【請求項８】
相互に視差を含む左目用の画像データと右目用の画像データを含むコンテンツの画像データと音声データのうちの少なくとも一方の特徴を抽出する抽出手段と、
前記抽出手段により抽出された特徴に基づいて、前記コンテンツの所定のシーンを検出する検出手段と、
検出した前記所定のシーンに関するデータを、前記コンテンツの画像データとともに送信する送信手段と
を備える送信装置。
【請求項９】
少なくとも画像データを含むコンテンツのデータを受信するとともに、前記コンテンツの画像データと音声データのうちの少なくとも一方の特徴に基づいて検出された所定のシーンに関するデータを受信する受信手段と、
前記コンテンツを再生する再生手段と、
前記コンテンツの再生位置が、前記所定のシーンの区間の位置である場合、前記コンテンツの画像を２次元画像として認識させるように表示し、前記コンテンツの再生位置が前記所定のシーンの区間以外の位置である場合、前記コンテンツの画像を３次元画像として認識させるように表示する表示制御手段と
を備える表示制御装置。
【発明の詳細な説明】
【技術分野】
【０００１】
本発明は、表示制御装置、表示制御方法、プログラム、出力装置、および送信装置に関し、特に、疲労感を軽減しつつ、３Ｄコンテンツを効果的に視聴させることができるようにした表示制御装置、表示制御方法、プログラム、出力装置、および送信装置に関する。
【背景技術】
【０００２】
近年、LCD(Liquid Crystal Display)などのディスプレイの画素数の向上やフレームレートの向上に伴い実現可能になった画像の表示方式として、視聴者が画像を立体的に認識できるようにする３Ｄ（３次元）表示方式が注目されている。
【０００３】
以下、適宜、それを見ることによって被写体を立体的に認識できる画像を３Ｄ画像といい、３Ｄ画像のデータを含むコンテンツを３Ｄコンテンツという。また、３Ｄ画像を表示するための再生を３Ｄ再生という。通常の２Ｄ画像（被写体を立体的に認識できない平面的な画像）を表示するための再生は２Ｄ再生となる。
【０００４】
３Ｄ画像を鑑賞する方式としては、偏光フィルタメガネやシャッタメガネを用いるメガネ方式と、レンチキュラー方式等の、メガネを用いない裸眼方式とがある。また、３Ｄ画像を表示するための再生方式として、視差のある左目用画像（Ｌ画像）と右目用画像（Ｒ画像）を交互に表示するフレームシーケンシャル方式がある。左目用画像と右目用画像をシャッタメガネ等によって視聴者の左右のそれぞれの目に届けることにより、立体感を視聴者に感じさせることが可能になる。
【０００５】
臨場感のある表現が可能になることから、このような３Ｄ再生の技術の開発がさかんに行われている。また、通常の２Ｄ再生に用いられるコンテンツ（２Ｄコンテンツ）に基づいて３Ｄコンテンツを生成し、３Ｄ画像を表示する技術の開発も行われている。２Ｄコンテンツから３Ｄコンテンツを生成する手法としては、画像の視差を利用した技術がある（例えば、特許文献１）。
【０００６】
３Ｄ画像と２Ｄ画像は画像の性質が異なるため、３Ｄ画像を長時間にわたって視聴した場合、２Ｄ画像を視聴したときより疲労が蓄積してしまう可能性がある。３Ｄ画像は従来の２Ｄ画像に較べてよりリアルに感じるため、ユーザは無意識のうちにコンテンツを長時間にわたって視聴してしまう可能性もある。
【０００７】
そのため、通常の２Ｄ画像を視聴している時よりも、気付かないうちに疲労感が増加してしまうことがある。このことから、３Ｄ画像を視聴するときの疲労感を軽減する技術が各種提案されている（例えば、特許文献２）。
【先行技術文献】
【特許文献】
【０００８】
【特許文献１】特開平７−２２２２０３号公報
【特許文献２】特開２００６−２０８４０７号公報
【発明の概要】
【発明が解決しようとする課題】
【０００９】
ところで、近年販売等されているハードディスクレコーダ等の通常の２Ｄコンテンツを記録する記録装置の中には、記録済みのコンテンツの再生モードとして、特定のシーンのみを再生するモードが用意されているものがある。
【００１０】
３Ｄコンテンツを再生する場合にもこのような再生モードを用いることができるものと考えられる。また、このとき、特定のシーンのみを３Ｄ表示方式で表示し、他のシーンを２Ｄ表示方式で表示すれば、コンテンツ全区間を３Ｄ表示方式で表示する場合に較べてユーザの疲労感を軽減させることができるものと考えられる。
【００１１】
さらに、３Ｄ画像は２Ｄ画像に較べてリアルに表現できることから、表示方式をシーンに応じて切り替えることで、２Ｄ画像を見ているときとの違いをユーザにより確実に認識させることができ、その特定のシーンを効果的に視聴させることができるものと考えられる。
【００１２】
本発明はこのような状況に鑑みてなされたものであり、疲労感を軽減しつつ、３Ｄコンテンツを効果的に視聴させることができるようにするものである。
【課題を解決するための手段】
【００１３】
本発明の第１の側面の表示制御装置は、コンテンツの画像データと音声データのうちの少なくとも一方の特徴を抽出する抽出手段と、前記抽出手段により抽出された特徴に基づいて、前記コンテンツの所定のシーンを検出する検出手段と、前記コンテンツを再生する再生手段と、前記コンテンツの再生位置が、前記検出手段により検出された前記所定のシーンの区間の位置である場合、前記コンテンツの画像を２次元画像として認識させるように表示し、前記コンテンツの再生位置が前記所定のシーンの区間以外の位置である場合、前記コンテンツの画像を３次元画像として認識させるように表示する表示制御手段とを備える。
【００１４】
再生対象として入力された前記コンテンツが、画像データとして２次元画像を表示するための画像データのみを含むコンテンツである場合、入力された前記コンテンツを、３次元画像を表示するための、相互に視差を含む左目用画像のデータと右目用画像のデータを含むコンテンツに変換する変換手段をさらに設けることができる。この場合、前記表示制御手段には、前記所定のシーンの区間以外の前記コンテンツの画像を、前記変換手段により変換された前記コンテンツに基づいて表示させ、前記所定のシーンの前記コンテンツの画像を、入力された前記コンテンツに基づいて表示させることができる。
【００１５】
再生対象として入力された前記コンテンツが、画像データとして相互に視差を含む左目用画像のデータと右目用画像のデータを含むコンテンツである場合、前記表示制御手段には、前記所定のシーンの区間以外の前記コンテンツの画像を、入力された前記コンテンツに基づいて表示させ、前記所定のシーンの前記コンテンツの画像を、左目用画像のデータと右目用画像のデータのうちの一方に基づいて表示させることができる。
【００１６】
前記コンテンツはテレビジョン番組のデータであり、前記所定のシーンの区間はテレビジョン番組に含まれるCM区間であるようにすることができる。
【００１７】
本発明の第１の側面の表示制御方法は、コンテンツの画像データと音声データのうちの少なくとも一方の特徴を抽出し、抽出した特徴に基づいて、前記コンテンツの所定のシーンを検出し、前記コンテンツを再生し、前記コンテンツの再生位置が、検出した前記所定のシーンの区間の位置である場合、前記コンテンツの画像を２次元画像として認識させるように表示し、前記コンテンツの再生位置が前記所定のシーンの区間以外の位置である場合、前記コンテンツの画像を３次元画像として認識させるように表示するステップを含む。
【００１８】
本発明の第１の側面のプログラムは、コンテンツの画像データと音声データのうちの少なくとも一方の特徴を抽出し、抽出した特徴に基づいて、前記コンテンツの所定のシーンを検出し、前記コンテンツを再生し、前記コンテンツの再生位置が、検出した前記所定のシーンの区間の位置である場合、前記コンテンツの画像を２次元画像として認識させるように表示し、前記コンテンツの再生位置が前記所定のシーンの区間以外の位置である場合、前記コンテンツの画像を３次元画像として認識させるように表示するステップを含む。
【００１９】
本発明の第２の側面の出力装置は、コンテンツの画像データと音声データのうちの少なくとも一方の特徴を抽出する抽出手段と、前記抽出手段により抽出された特徴に基づいて、前記コンテンツの所定のシーンを検出する検出手段と、前記コンテンツを再生する再生手段と、前記コンテンツの再生位置が、前記検出手段により検出された前記所定のシーンの区間の位置である場合、前記コンテンツの画像を２次元画像として出力し、前記コンテンツの再生位置が前記所定のシーンの区間以外の位置である場合、前記コンテンツの画像を３次元画像として出力する出力手段とを備える。
【００２０】
本発明の第３の側面の送信装置は、相互に視差を含む左目用の画像データと右目用の画像データを含むコンテンツの画像データと音声データのうちの少なくとも一方の特徴を抽出する抽出手段と、前記抽出手段により抽出された特徴に基づいて、前記コンテンツの所定のシーンを検出する検出手段と、検出した前記所定のシーンに関するデータを、前記コンテンツの画像データとともに送信する送信手段とを備える。
【００２１】
本発明の第４の側面の表示制御装置は、少なくとも画像データを含むコンテンツのデータを受信するとともに、前記コンテンツの画像データと音声データのうちの少なくとも一方の特徴に基づいて検出された所定のシーンに関するデータを受信する受信手段と、前記コンテンツを再生する再生手段と、前記コンテンツの再生位置が、前記所定のシーンの区間の位置である場合、前記コンテンツの画像を２次元画像として認識させるように表示し、前記コンテンツの再生位置が前記所定のシーンの区間以外の位置である場合、前記コンテンツの画像を３次元画像として認識させるように表示する表示制御手段とを備える。
【００２２】
本発明の第１の側面においては、コンテンツの画像データと音声データのうちの少なくとも一方の特徴が抽出され、抽出された特徴に基づいて、前記コンテンツの所定のシーンが検出される。前記コンテンツの再生位置が、検出された前記所定のシーンの区間の位置である場合、前記コンテンツの画像が２次元画像として認識させるように表示され、前記コンテンツの再生位置が前記所定のシーンの区間以外の位置である場合、前記コンテンツの画像が３次元画像として認識させるように表示される。
【００２３】
本発明の第２の側面においては、コンテンツの画像データと音声データのうちの少なくとも一方の特徴が抽出され、抽出された特徴に基づいて、前記コンテンツの所定のシーンが検出される。また、前記コンテンツが再生され、前記コンテンツの再生位置が、前記所定のシーンの区間の位置である場合、前記コンテンツの画像が２次元画像として出力され、前記コンテンツの再生位置が前記所定のシーンの区間以外の位置である場合、前記コンテンツの画像が３次元画像として出力される。
【００２４】
本発明の第３の側面においては、相互に視差を含む左目用の画像データと右目用の画像データを含むコンテンツの画像データと音声データのうちの少なくとも一方の特徴が抽出され、抽出された特徴に基づいて、前記コンテンツの所定のシーンが検出される。また、検出された前記所定のシーンに関するデータが、前記コンテンツの画像データとともに送信される。
【００２５】
本発明の第４の側面においては、少なくとも画像データを含むコンテンツのデータを受信するとともに、前記コンテンツの画像データと音声データのうちの少なくとも一方の特徴に基づいて検出された所定のシーンに関するデータが受信され、前記コンテンツが再生される。また、前記コンテンツの再生位置が、前記所定のシーンの区間の位置である場合、前記コンテンツの画像が２次元画像として認識されるように表示され、前記コンテンツの再生位置が前記所定のシーンの区間以外の位置である場合、前記コンテンツの画像が３次元画像として認識されるように表示される。
【発明の効果】
【００２６】
本発明によれば、疲労感を軽減しつつ、３Ｄコンテンツを効果的に視聴させることができる。
【図面の簡単な説明】
【００２７】
【図１】本発明の一実施形態に係る３Ｄ画像表示システムの構成例を示す図である。
【図２】再生方式の切り替えの例を示す図である。
【図３】表示制御装置の構成例を示すブロック図である。
【図４】シャッタメガネの状態を示す図である。
【図５】システムコントローラの構成例を示すブロック図である。
【図６】表示制御装置の処理について説明するフローチャートである。
【図７】他の３Ｄ画像表示システムの構成例を示す図である。
【図８】図７の表示制御装置の処理について説明するフローチャートである。
【図９】図７の表示制御装置の他の処理について説明するフローチャートである。
【図１０】コンテンツ制御部の構成例を示すブロック図である。
【図１１】コンテンツ制御部の他の構成例を示すブロック図である。
【図１２】本発明の他の実施形態に係る３Ｄ画像表示システムの構成例を示す図である。
【図１３】コンピュータのハードウェアの構成例を示すブロック図である。
【発明を実施するための形態】
【００２８】
［３Ｄ画像表示システム］
図１は、本発明の一実施形態に係る３Ｄ画像表示システムの構成例を示す図である。
【００２９】
図１に示すように、この３Ｄ画像表示システムは、表示制御装置１、TV（テレビジョン受像機）２、およびシャッタメガネ３から構成される。すなわち、図１の３Ｄ画像表示システムによる３Ｄ画像の視聴方式はメガネを用いた方式である。シャッタメガネ３は、コンテンツの視聴者であるユーザが着用するものである。
【００３０】
表示制御装置１は、コンテンツを再生し、コンテンツの画像（動画像）をTV２に表示させ、それにあわせて、コンテンツの音声を図示せぬスピーカから出力させる。表示制御装置１とTV２は例えばHDMI(High Definition Multimedia Interface)規格のケーブルによって接続される。
【００３１】
表示制御装置１は、例えば、内蔵のHDDに記録されているコンテンツや、ドライブに挿入されたBlu-ray（商標） discに記録されているコンテンツを再生する。表示制御装置１による再生の対象になるコンテンツはテレビジョン番組のデータであり、画像データと音声データが含まれる。テレビジョン番組は番組本編とCMから構成される。
【００３２】
ここでは、再生対象のコンテンツには、画像データとして、表示順で連続する２つのフレームを較べた場合に視差のある、左目用画像のデータと右目用画像のデータが含まれている場合について説明する。
【００３３】
図１においては、TV２に左目用画像Ｌ１が表示されている。これに続けて、図１の右上に示すように、右目用画像Ｒ１、左目用画像Ｌ２、右目用画像Ｒ２、左目用画像Ｌ３、右目用画像Ｒ３、・・・と、左目用画像と右目用画像が交互に表示される。
【００３４】
シャッタメガネ３には、例えば、赤外線を用いた無線通信によって、画像の垂直同期信号の情報を含む制御信号が表示制御装置１から供給される。シャッタメガネ３の左目側の透過部と右目側の透過部は、その偏光特性を制御可能な液晶デバイスから構成される。
【００３５】
シャッタメガネ３は、制御信号に従って、左目オープンかつ右目クローズと左目クローズかつ右目オープンの２つのシャッタ開閉動作を交互に繰り返す。その結果、ユーザの右目には右目用画像のみが、左目には左目用画像のみが入力される。左目用画像と右目用画像には視差があり（被写体の表示位置に、視差に相当する分のずれがあり）、この視差のある左目用画像と右目用画像を交互に見ることによって、ユーザは番組の画像を３Ｄ画像として知覚することになる。
【００３６】
また、表示制御装置１は、コンテンツの画像データと音声データを解析し、番組に含まれるCM区間を検出する。
【００３７】
表示制御装置１は、現在の再生位置がCM区間の位置になった場合、画像の再生方式をそれまで採用していた３Ｄ再生から２Ｄ再生に切り替え、CM区間の画像を２Ｄ画像として表示させる。また、表示制御装置１は、左目側の透過部と右目側の透過部の特性が同じ特性になるようにシャッタメガネ３を制御する。
【００３８】
CM区間の再生が終了し、現在の再生位置が番組本編区間の位置になったとき、表示制御装置１は、画像の再生方式を２Ｄ再生から３Ｄ再生に戻し、番組本編区間の画像を３Ｄ画像として表示させる。また、表示制御装置１は、再度、ユーザの右目に右目用画像が、左目に左目用画像が入力されるようにシャッタメガネ３を制御する。
【００３９】
図２は、再生方式の切り替えの例を示す図である。
【００４０】
図２の例においては、再生対象のコンテンツがサッカー中継の番組とされ、時刻ｋ１から時刻ｋ２の区間がCM区間として検出されている。CM区間以外の区間が、番組本編区間である。図２に示すように、CM区間である時刻ｋ１から時刻ｋ２においては２Ｄ再生が行われ、番組本編区間においては３Ｄ再生が行われる。
【００４１】
このように、番組全体のうちの番組本編区間の画像だけを３Ｄ画像として表示することにより、番組全体の画像を３Ｄ画像として表示する場合に較べて、ユーザの疲労感を軽減させることが可能になる。CM区間においては、ユーザはいわば目を休めた状態でいることができる。
【００４２】
また、番組本編区間の画像を３Ｄ画像としてユーザに見せることによって、再生中の区間が番組本編区間であることをより強調することができ、効果的に番組の視聴を行わせることができる。
【００４３】
［表示制御装置１の構成］
図３は、表示制御装置１の構成例を示すブロック図である。
【００４４】
システムコントローラ１１は、ユーザI/F１２から供給されるユーザの操作の内容を表す信号に従って、表示制御装置１の全体の動作を制御する。
【００４５】
例えば、システムコントローラ１１は、特徴抽出部１８から供給された特徴データに基づいて番組のCM区間を検出する。システムコントローラ１１は、コンテンツの再生中、検出結果に基づいて、番組本編区間においては３Ｄ再生を行い、CM区間においては２Ｄ再生を行うように各部を制御する。
【００４６】
ユーザI/F１２は、リモートコントローラからの信号を受光する受光部などにより構成される。ユーザI/F１２は、リモートコントローラに対するユーザの操作を検出し、その内容を表す信号をシステムコントローラ１１に出力する。
【００４７】
記録媒体制御部１３は、記録媒体１４に対するコンテンツの記録や、記録媒体１４からのコンテンツの読み出しを制御する。記録媒体１４は例えばHDD(Hard Disk Drive)であり、コンテンツを記録する。
【００４８】
また、記録媒体制御部１３は、図示せぬアンテナからの信号に基づいて、放送されたコンテンツ（３Ｄコンテンツ）を受信し、記録媒体１４に記録させる。記録媒体制御部１３は、記録媒体１４に記録されているコンテンツの中からユーザにより所定のコンテンツが選択され、その再生が指示された場合、再生が指示されたコンテンツを記録媒体１４から再生処理部１５に供給する。
【００４９】
再生処理部１５は、記録媒体１４から供給されたコンテンツに対して、圧縮されているデータを伸張するデコード処理等の再生処理を施す。再生処理部１５は、再生処理を施すことによって得られた３Ｄ画像のデータ（左目用画像のデータと右目用画像のデータ）と音声データを特徴抽出部１８に出力する。
【００５０】
また、再生処理部１５は、３Ｄ画像のデータをコンテンツ制御部１６に出力する。コンテンツの画像にあわせて音声を出力するために用いられる音声データは、図示せぬ回路を介して外部のスピーカ等に出力される。なお、特徴抽出部１８に供給され、特徴抽出の対象になる画像データは、３Ｄコンテンツに含まれる左目用画像のデータと右目用画像のデータのうちの一方であってもよい。また、画像データと音声データのうちのいずれか一方が特徴抽出の対象として用いられるようにしてもよい。
【００５１】
コンテンツ制御部１６は、現在の再生位置が番組本編区間の位置であり、３Ｄ画像を表示する場合、再生処理部１５から供給された３Ｄ画像のデータを表示制御部１７に出力する。
【００５２】
また、コンテンツ制御部１６は、現在の再生位置がCM区間の位置であり、２Ｄ画像を表示する場合、３Ｄ画像のデータとして再生処理部１５から供給された左目用画像のデータと右目用画像のデータのうちの一方を表示制御部１７に出力する。
【００５３】
表示制御部１７は、コンテンツ制御部１６から供給された画像データに基づいて、番組本編区間の画像を３Ｄ画像としてTV２に表示させ、CM区間の画像を２Ｄ画像としてTV２に表示させる。
【００５４】
特徴抽出部１８は、再生処理部１５から供給された画像データと音声データの特徴を抽出し、抽出した特徴を表すデータである特徴データをシステムコントローラ１１に出力する。例えば、画像データからはシーンチェンジの位置が検出され、音声データからは無音区間の位置が検出される。
【００５５】
信号出力部１９は、システムコントローラ１１から供給された制御信号をシャッタメガネ３に送信する。TV２に３Ｄ画像を表示する場合、左目用画像と右目用画像のそれぞれの表示タイミングにあわせてシャッタメガネ３のシャッタを動作させるための制御信号がシステムコントローラ１１から供給される。また、TV２に２Ｄ画像を表示する場合、シャッタメガネ３の左目側の透過部と右目側の透過部の特性（シャッタ動作）を同じものにさせるための制御信号が供給される。
【００５６】
信号出力部１９から送信された制御信号を受信したシャッタメガネ３においては、左目側の透過部と右目側の透過部のシャッタ動作が制御されたり、それらの特性を同じものにするような制御が行われたりする。左目側の透過部と右目側の透過部の特性が同じものになった場合、TV２に表示される画像は通常の２Ｄ画像としてユーザによって認識される。
【００５７】
図４は、シャッタメガネ３の制御の例を示す図である。
【００５８】
コンテンツの再生位置が番組本編区間からCM区間に切り替わった場合、図４Ａに示すように、シャッタメガネ３の左右の透過部の特性が同じものになるように、シャッタメガネ３に対して制御信号が送信される。
【００５９】
図４Ａの左側の画像は、シャッタメガネ３の左右の透過部の特性が異なる（クローズとオープンのタイミングが異なる）場合のシャッタメガネ３の状態を示している。この状態のとき、左目用画像が左目、右目用画像が右目にそれぞれ届くことになる。また、図４Ａの右側の画像は、シャッタメガネ３の左右の透過部の特性が同じ（クローズとオープンのタイミングが同じ）である場合のシャッタメガネ３の状態を示している。この状態のとき、TV２に表示される画像が同時に右目と左目に届くことになる。
【００６０】
なお、左目用画像、右目用画像としてそれぞれ色を替えた画像をユーザに見せるカラーフィルタ方式で３Ｄ表示を実現するようにしてもよい。この場合、左目側の透過部が赤、右目側の透過部が青といったように、それぞれの透過部の色を制御可能なメガネが用いられる。
【００６１】
図４Ｂの左側の画像は、左目側の透過部と右目側の透過部の特性が異なる（色が異なる）場合のメガネの状態を示している。また、図４Ｂの右側の画像は、左右の透過部の特性が同じ（同じ色）である場合のメガネの状態を示している。再生位置が番組本編区間からCM区間の位置になったときにメガネの特性が図４Ｂの右側に示す状態に切り替わることにより、ユーザはCM区間の画像を２Ｄ画像として見ることができる。
【００６２】
図５は、図３のシステムコントローラ１１の構成例を示すブロック図である。
【００６３】
図５に示すように、システムコントローラ１１は、CM検出部３１と制御部３２から構成される。特徴抽出部１８から出力された特徴データはCM検出部３１に入力される。
【００６４】
CM検出部３１は、特徴データに基づいてCM区間を検出する。日本で放送されるテレビCMを考えた場合、１５秒の整数倍の時間毎に無音区間を検出できるという特徴がある。例えば、CM検出部３１は、特徴データに含まれる無音区間の情報が、そのような１５秒の整数倍の時間毎に無音区間が検出されたことを表すようなものである場合、無音区間と無音区間の間をテレビCMの区間として検出する。なお、CM区間の検出の方法は、無音区間を用いた方法に限られるものではなく、画像データから抽出される特徴と音声データから抽出される特徴を用いた方法であれば他の方法であってもよい。
【００６５】
CM検出部３１は、検出したCM区間の情報を制御部３２に出力する。また、CM検出部３１は、CM区間以外の区間を番組本編区間として、その番組本編区間の情報を制御部３２に出力する。
【００６６】
制御部３２は、コンテンツの再生中、コンテンツの現在の再生位置を監視する。制御部３２は、現在の再生位置が番組本編区間の位置である場合、左目用画像のデータと右目用画像のデータを出力するようにコンテンツ制御部１６を制御する。また、制御部３２は、現在の再生位置がCM区間の位置である場合、例えば左目用画像のデータを出力するようにコンテンツ制御部１６を制御する。
【００６７】
なお、制御部３２は、コンテンツの再生、表示を制御するとともに、制御信号を信号出力部１９に出力してシャッタメガネ３の特性を制御することも行う。
【００６８】
［表示制御装置１の動作］
図６のフローチャートを参照して、表示制御装置１の処理について説明する。
【００６９】
ステップＳ１において、システムコントローラ１１は、ユーザによる操作に応じて動作モードを設定する。例えば、システムコントローラ１１は、記録媒体１４に記録されているコンテンツの再生が指示された場合、動作モードとして再生モードを設定し、放送中のコンテンツの録画が指示された場合、動作モードとして録画モードを設定する。
【００７０】
ステップＳ２において、システムコントローラ１１は、設定しているモードが再生モードであるか否かを判定し、再生モードではないと判定した場合、いま設定されている動作モードに応じた処理を行う。
【００７１】
一方、設定しているモードが再生モードであるとステップＳ２において判定した場合、ステップＳ３において、システムコントローラ１１は、ユーザにより選択されたコンテンツの読み出しを記録媒体制御部１３に行わせる。記録媒体制御部１３により読み出された再生対象のコンテンツは再生処理部１５に供給される。
【００７２】
ステップＳ４において、システムコントローラ１１の制御部３２は、各部を制御し、再生対象のコンテンツの３Ｄ再生を行う。再生処理部１５における再生処理によって得られた３Ｄ画像のデータは、コンテンツ制御部１６を経由して表示制御部１７に供給され、コンテンツの画像を３Ｄ画像として表示するために用いられる。また、再生処理部１５における再生処理によって得られた画像データと音声データは特徴抽出部１８にも供給される。
【００７３】
ステップＳ５において、特徴抽出部１８は、画像データと音声データの特徴を抽出し、特徴データをシステムコントローラ１１に出力する。システムコントローラ１１のCM検出部３１においては、CM区間の検出が行われ、その情報が制御部３２に供給される。
【００７４】
ステップＳ６において、制御部３２は、現在の再生位置がCM区間の位置であるか否かを判定する。
【００７５】
現在の再生位置がCM区間の位置であるとステップＳ６において判定した場合、ステップＳ７において、制御部３２は、各部を制御し、コンテンツの再生方式を２Ｄ再生に切り替える。すなわち、再生処理部１５における再生処理によって得られた左目用画像のデータと右目用画像のデータのうちの例えば左目用画像のデータがコンテンツ制御部１６により選択され、表示制御部１７に出力される。コンテンツ制御部１６から供給されたデータに基づいて表示制御部１７により画像の表示が行われることによって、TV２には、CM区間の画像が２Ｄ画像として表示される。２Ｄ再生は、CM区間が終了するまで続けられる。現在の再生位置がCM区間の位置ではないとステップＳ６において判定された場合、ステップＳ７はスキップされる。
【００７６】
ステップＳ８において、システムコントローラ１１は、コンテンツの再生を終了するか否かを判定し、終了しないと判定した場合、ステップＳ９において、再生するコンテンツの変更がユーザにより指示されたか否かを判定する。
【００７７】
コンテンツの変更が指示されていないとステップＳ９において判定した場合、システムコントローラ１１は、ステップＳ４以降の処理を行う。
【００７８】
変更が指示されたとステップＳ９において判定した場合、ステップＳ１０において、システムコントローラ１１は、再生処理部１５を制御してコンテンツの再生を停止させる。その後、ステップＳ３に戻り、それ以降の処理が繰り返される。
【００７９】
コンテンツの再生を終了することがユーザにより指示されたことから、または、コンテンツを最後まで再生したことから、コンテンツの再生を終了するとステップＳ８において判定された場合、処理は終了される。
【００８０】
以上の処理により、ユーザの疲労感を軽減しつつ、３Ｄコンテンツを効果的に視聴させることができる。
【００８１】
［変形例］
以上においては、再生位置が番組本編区間であるかCM区間であるか、すなわち、シーンに応じて再生方式を切り替えるものとしたが、３Ｄコンテンツの再生開始からの時間によって再生方式を切り替えるようにしてもよい。
【００８２】
図７は、表示制御装置１の他の構成例を示すブロック図である。
【００８３】
図７に示す構成のうち、図３に示す構成と同じ構成には同じ符号を付してある。重複する説明については適宜省略する。図７に示す構成は、図３の特徴抽出部１８に替えて、時間計測部４１が設けられている点で図３の構成と異なる。
【００８４】
システムコントローラ１１は、例えばユーザによる指示に応じて、記録媒体１４に記録されている所定の３Ｄコンテンツの３Ｄ再生を行い、TV２に３Ｄ画像を表示させる。システムコントローラ１１は、時間計測部４１を制御し、３Ｄ再生を行っている時間である３Ｄ再生時間の計測を開始させる。
【００８５】
システムコントローラ１１は、３Ｄ再生時間が、１時間や２時間などの、あらかじめ設定されている時間を経過したと判定した場合、再生方式を２Ｄ再生に切り替え、２Ｄ画像を表示させる。
【００８６】
これにより、長時間にわたって３Ｄ画像を見続けることを強制的に終了させることができ、ユーザの疲労感を軽減させることができる。
【００８７】
［動作例１］
図８のフローチャートを参照して、時間に応じて再生方式を切り替える図７の表示制御装置１の処理について説明する。
【００８８】
ステップＳ２１において、システムコントローラ１１は、ユーザによる操作に応じて動作モードを設定する。
【００８９】
例えば、システムコントローラ１１は、記録媒体１４に記録されているコンテンツの再生が指示された場合、動作モードとして再生モードを設定し、放送中のコンテンツの録画が指示された場合、動作モードとして録画モードを設定する。また、システムコントローラ１１は、再生モードのうち、３Ｄ再生時間が所定の時間を経過した後に再生方式を２Ｄ再生に自動的に切り替えるモードである表示自動制御モードを設定することが指示された場合、表示自動制御モードを設定する。
【００９０】
ステップＳ２２において、システムコントローラ１１は、設定しているモードが表示自動制御モードであるか否かを判定し、表示自動制御モードではないと判定した場合、いま設定されている動作モードに応じた処理を行う。例えば、通常再生モード（表示自動制御モードではない再生モード）が設定されている場合、３Ｄ再生が開始され、３Ｄ画像の表示が時間的な制限無く続けられる。
【００９１】
一方、設定しているモードが表示自動制御モードであるとステップＳ２２において判定した場合、ステップＳ２３において、システムコントローラ１１は、ユーザにより選択されたコンテンツの読み出しを記録媒体制御部１３に行わせる。
【００９２】
ステップＳ２４において、システムコントローラ１１は、コンテンツの再生を開始することが指示されたか否かを判定する。
【００９３】
コンテンツの再生を開始することが指示されていないとステップＳ２４において判定した場合、ステップＳ２５において、システムコントローラ１１は、処理を終了するか否かを判定し、終了すると判定した場合、処理を終了させる。一方、処理を終了しないとステップＳ２５において判定した場合、システムコントローラ１１は、ステップＳ２４以降の処理を繰り返す。
【００９４】
コンテンツの再生を開始することが指示されたとステップＳ２４において判定した場合、ステップＳ２６において、システムコントローラ１１は、時間計測部４１が計測する３Ｄ再生時間ｔの初期設定（t=0）を行う。
【００９５】
ステップＳ２７において、システムコントローラ１１の制御部３２は、各部を制御し、再生対象のコンテンツの３Ｄ再生を行う。
【００９６】
ステップＳ２８において、システムコントローラ１１は、時間計測部４１を制御し、３Ｄ再生時間ｔをインクリメントさせる。
【００９７】
ステップＳ２９において、システムコントローラ１１は、３Ｄ再生時間ｔが、閾値としてあらかじめ設定されている時間である警告時間Thを超えたか否かを判定する。警告時間Thとして、例えば１時間や２時間などの時間が設定される。
【００９８】
３Ｄ再生時間ｔが警告時間Thを超えていないとステップＳ２９において判定した場合、ステップＳ３０において、システムコントローラ１１は、コンテンツの再生を終了するか否かを判定する。
【００９９】
システムコントローラ１１は、コンテンツの再生を終了するとステップＳ３０において判定した場合、処理を終了させ、処理を終了しないとステップＳ３０において判定した場合、ステップＳ２７以降の処理を繰り返す。
【０１００】
一方、ステップＳ２９において、３Ｄ再生時間ｔが警告時間Thを超えたと判定した場合、ステップＳ３１において、システムコントローラ１１は、表示制御部１７を制御し、警告をTV２に表示させる。例えば、３Ｄ再生を終了することを通知するメッセージがTV２に表示される。
【０１０１】
ステップＳ３２において、システムコントローラ１１は、再生方式を２Ｄ再生に切り替え、ステップＳ３３において、２Ｄ再生を行う。システムコントローラ１１による制御に従って、コンテンツ制御部１６から表示制御部１７に対して例えば左目用画像のデータだけが供給され、それに基づいてCM区間の画像が２Ｄ画像として表示される。
【０１０２】
ステップＳ３４において、システムコントローラ１１は、コンテンツの再生を終了するか否かを判定し、終了しないと判定した場合、ステップＳ３３に戻り、コンテンツの２Ｄ再生を繰り返す。
【０１０３】
コンテンツの再生を終了することがユーザにより指示されたことから、または、コンテンツを最後まで再生したことから、コンテンツの再生を終了するとステップＳ３４において判定された場合、処理は終了される。
【０１０４】
以上の処理により、一定時間以上、３Ｄ画像を連続して視聴してしまうことを防止することができ、ユーザの疲労感を軽減させることが可能になる。
【０１０５】
［動作例２］
図９のフローチャートを参照して、時間に応じて再生方式を切り替える図７の表示制御装置１の他の処理について説明する。
【０１０６】
この処理においては、３Ｄ再生を終了することの警告が表示されたとき、ユーザは、所定の時間だけ３Ｄ再生の時間を延長することができるようになされている。図９の処理は、そのような延長の処理が追加されている点を除いて、基本的に、図８を参照して説明した処理と同様の処理である。
【０１０７】
ステップＳ４１において、システムコントローラ１１は、ユーザによる操作に応じて、動作モードを設定するとともに、３Ｄ再生を開始してから警告が表示されるまでの時間である警告時間Th（Th=t0）を設定する。
【０１０８】
ステップＳ４２において、システムコントローラ１１は、設定しているモードが表示自動制御モードであるか否かを判定し、表示自動制御モードではないと判定した場合、いま設定されている動作モードに応じた処理を行う。
【０１０９】
一方、設定しているモードが表示自動制御モードであるとステップＳ４２において判定した場合、ステップＳ４３において、システムコントローラ１１は、ユーザにより選択されたコンテンツの読み出しを記録媒体制御部１３に行わせる。
【０１１０】
ステップＳ４４において、システムコントローラ１１は、コンテンツの再生を開始することが指示されたか否かを判定する。
【０１１１】
コンテンツの再生を開始することが指示されていないとステップＳ４４において判定した場合、ステップＳ４５において、システムコントローラ１１は、処理を終了するか否かを判定し、終了すると判定した場合、処理を終了させる。一方、処理を終了しないとステップＳ４５において判定した場合、システムコントローラ１１は、ステップＳ４４以降の処理を繰り返す。
【０１１２】
コンテンツの再生を開始することが指示されたとステップＳ４４において判定した場合、ステップＳ４６において、システムコントローラ１１は、時間計測部４１が計測する３Ｄ再生時間ｔの初期設定（t=0）を行う。
【０１１３】
ステップＳ４７において、システムコントローラ１１の制御部３２は、各部を制御し、再生対象のコンテンツの３Ｄ再生を行う。
【０１１４】
ステップＳ４８において、システムコントローラ１１は、時間計測部４１を制御し、３Ｄ再生時間ｔをインクリメントさせる。
【０１１５】
ステップＳ４９において、システムコントローラ１１は、３Ｄ再生時間ｔが、いま設定されている警告時間Thを超えたか否かを判定する。
【０１１６】
３Ｄ再生時間ｔが警告時間Thを超えていないとステップＳ４９において判定した場合、ステップＳ５０において、システムコントローラ１１は、コンテンツの再生を終了するか否かを判定する。
【０１１７】
システムコントローラ１１は、コンテンツの再生を終了するとステップＳ５０において判定した場合、処理を終了させ、処理を終了しないとステップＳ５０において判定した場合、ステップＳ４７以降の処理を繰り返す。
【０１１８】
一方、ステップＳ４９において、３Ｄ再生時間ｔが警告時間Thを超えたと判定した場合、ステップＳ５１において、システムコントローラ１１は、表示制御部１７を制御し、警告をTV２に表示させる。
【０１１９】
ここでは、例えば、３Ｄ再生を開始してからの時間が一定の時間を経過したことをユーザに通知するメッセージと共に、警告時間を更新して３Ｄ再生時間を延長するか否かをユーザに問い合わせるメッセージがTV２に表示される。ユーザは、リモートコントローラを操作するなどして、３Ｄ再生を終了させて２Ｄ再生を行わせるか、警告時間を更新して３Ｄ再生を続行させるかを選択することができる。
【０１２０】
ステップＳ５２において、システムコントローラ１１は、警告時間を更新することが選択されたか否かを判定する。
【０１２１】
警告時間を更新することが選択されていないとステップＳ５２において判定した場合、ステップＳ５３において、システムコントローラ１１は、再生方式を２Ｄ再生に切り替える。
【０１２２】
ステップＳ５４において、システムコントローラ１１は２Ｄ再生を行う。システムコントローラ１１による制御に従って、コンテンツ制御部１６から表示制御部１７に対して例えば左目用画像のデータだけが供給され、それに基づいて２Ｄ画像の表示が行われる。
【０１２３】
ステップＳ５５において、システムコントローラ１１は、コンテンツの再生を終了するか否かを判定し、終了しないと判定した場合、ステップＳ５４に戻り、コンテンツの２Ｄ再生を繰り返す。
【０１２４】
コンテンツの再生を終了することがユーザにより指示されたことから、または、コンテンツを最後まで再生したことから、コンテンツの２Ｄ再生を終了するとステップＳ５５において判定された場合、処理は終了される。
【０１２５】
一方、警告時間を更新することが選択されたとステップＳ５２において判定した場合、ステップＳ５６において、システムコントローラ１１は、警告時間Thに所定の時間である時間Taを設定する。その後、ステップＳ４６以降の処理が繰り返される。例えば、ステップＳ４１で設定された警告時間Thより短い時間がステップＳ５６において再設定される。
【０１２６】
以上の処理により、一定時間以上、３Ｄ画像を連続して視聴してしまうことを防止することができ、ユーザの疲労感を軽減させることが可能になる。また、ユーザは、一定の時間だけ３Ｄ画像を連続して視聴していた場合であっても、自らの選択に応じて、３Ｄ再生を続行するか否かを選択することが可能になる。
【０１２７】
［再生の対象となるコンテンツの例］
以上においては、再生対象になるコンテンツが、左目用画像のデータと右目用画像のデータがあらかじめ用意されている３Ｄコンテンツであるものとしたが、２Ｄコンテンツが再生対象として用いられるようにしてもよい。
【０１２８】
この場合、番組本編区間においては、２Ｄコンテンツに基づいて生成された３Ｄコンテンツを用いて３Ｄ再生が行われ、CM区間においては、再生対象の２Ｄコンテンツを用いて２Ｄ再生が行われる。
【０１２９】
コンテンツの再生位置が番組本編区間であるときに行われる、２Ｄコンテンツの３Ｄコンテンツへの変換について説明する。２Ｄコンテンツの３Ｄコンテンツへの変換は、例えばコンテンツ制御部１６において行われる。
【０１３０】
図１０は、コンテンツ制御部１６の構成例を示すブロック図である。
【０１３１】
２Ｄ画像のデータを３Ｄ画像のデータに変換することについては、例えば、特開平７−２２２２０３号公報に記載されている。図１０に示す構成は、基本的に、当該公報に記載されているものと同様の構成である。
【０１３２】
図１０に示すように、コンテンツ制御部１６は、動きベクトル検出部５１とメモリ５２から構成される。２Ｄコンテンツの再生処理が行われることによって再生処理部１５から出力された２Ｄ画像のデータは、動きベクトル検出部５１とメモリ５２に入力されるとともに、表示制御部１７にそのまま出力される。
【０１３３】
コンテンツ制御部１６からそのまま出力された２Ｄ画像のデータは、コンテンツの再生位置がCM区間の位置である場合、２Ｄ画像を表示するために表示制御部１７により用いられる。また、コンテンツ制御部１６からそのまま出力された２Ｄ画像のデータは、コンテンツの再生位置が番組本編区間の位置である場合、３Ｄ画像を表示するための例えば左目用画像のデータとして表示制御部１７により用いられる。
【０１３４】
動きベクトル検出部５１は、入力された画像データに基づいて、フレーム間の被写体の動きを表す動きベクトルを検出し、システムコントローラ１１に出力する。システムコントローラ１１においては、動きベクトル検出部５１により検出された動きベクトルの例えば水平方向の成分の大きさに応じて、メモリ５２の遅延量を制御することが行われる。例えば、基準となる動きベクトルの水平方向の成分の大きさＶ０に対して遅延量Ｔ０が対応付けられている。検出された動きベクトルの水平方向の成分の大きさがＶ０より大きいＶ１のとき、Ｔ０より少ないＴ１が遅延量として選択され、メモリ５２の遅延量が制御される。また、検出された動きベクトルの水平方向の成分の大きさがＶ０より小さいＶ２のとき、Ｔ０より多いＴ２が遅延量として選択され、メモリ５２の遅延量が制御される。
【０１３５】
メモリ５２は、３Ｄ画像を表示する場合、入力された画像データを一時的に記憶し、システムコントローラ１１から供給された遅延量の分だけ、遅延させて出力する。メモリ５２から出力された画像データは、３Ｄ画像を表示する場合、右目用画像のデータとして用いられる。このような構成を有するコンテンツ制御部１６から３Ｄ画像として出力された左目用画像と右目用画像を見たユーザは、左右の画像の時間差により、被写体を立体的に感じることになる。左右の画像の時間差により被写体を立体的に感じる現象と似た現象として、Mach-Dvorak現象が知られている。
【０１３６】
図１１は、コンテンツ制御部１６の他の構成例を示すブロック図である。
【０１３７】
この例においては、コンテンツ制御部１６には動きベクトルを検出する構成は設けられず、メモリ５２の遅延量を制御するための基準となる動きベクトルの情報が、再生処理部１５からシステムコントローラ１１に供給される。再生処理部１５に入力される画像データの圧縮方式がMPEG(Moving Picture Experts Group)2やH.264/AVCなどの場合、画像データには動きベクトルの情報が含まれている。
【０１３８】
再生処理部１５は、入力された画像データに含まれる動きベクトルの情報をシステムコントローラ１１に出力し、再生処理を施すことによって得られた２Ｄ画像のデータをコンテンツ制御部１６に出力する。システムコントローラ１１においては、動きベクトルに基づいて遅延量が決定され、決定された遅延量を表す情報がメモリ５２に供給される。
【０１３９】
再生処理部１５から出力された２Ｄ画像のデータは、メモリ５２に入力されるとともに、表示制御部１７にそのまま出力される。コンテンツ制御部１６からそのまま出力された２Ｄ画像のデータは、CM区間において２Ｄ画像を表示する場合に用いられる。また、番組本編区間において３Ｄ画像を表示する場合、例えば左目用画像のデータとして用いられる。
【０１４０】
メモリ５２は、３Ｄ画像を表示する場合、入力された画像データを一時的に記憶し、システムコントローラ１１から供給された遅延量の分だけ、遅延させて出力する。メモリ５２から出力された画像データは、３Ｄ画像を表示する場合、例えば右目用画像のデータとして用いられる。
【０１４１】
このように、再生対象のコンテンツが２Ｄコンテンツである場合であっても、２Ｄコンテンツに基づいて左目用画像のデータと右目用画像のデータとを生成することができ、それに基づいて、番組本編区間の画像を３Ｄ画像として表示させることが可能になる。また、番組本編区間の画像を３Ｄ画像として表示させ、CM区間の画像を２Ｄ画像として表示させるといったように、再生中のシーンに応じて画像の再生方式を切り替えることが可能になる。
【０１４２】
なお、コンテンツ制御部１６が図１０、図１１の構成を有している場合、表示制御装置１においては、遅延量を変えることで左目用画像と右目用画像の視差を制御し、３Ｄ画像を見たユーザが感じる立体感を変えることが可能になる。
【０１４３】
この場合、番組本編区間の画像を、被写体が大きく飛び出して見える３Ｄ画像として表示させ、CM区間の画像を、被写体が少しだけ飛び出して見える３Ｄ画像として表示させるといったように、シーンに応じて３Ｄ画像の立体感を切り替えるようにしてもよい。これによっても、ユーザはCM区間において目を休めることができ、疲労感を軽減することができる。
【０１４４】
また、図１０、図１１における動きベクトル量ｖと視差パラメータ量（遅延量）ｄとの関係が下式（１）で表される場合、その係数ｋの値を再生時間に応じて制御することで、３Ｄ再生時間が長くなるにつれて立体感を小さくするようにしてもよい。
ｄ＝ｋｖ            ・・・  （１）
【０１４５】
図１においては、表示制御装置１がTV２とは別の筐体の装置として用意され、現在の再生位置に応じて出力する画像データを切り替える出力装置として機能するものとしたが、表示制御装置１がTV２内に設けられるようにしてもよい。
【０１４６】
また、図１においては、現在の再生位置が番組本編区間であるかCM区間であるかに応じて、出力する画像データを表示制御装置１が切り替えるものとしたが、画像データの切り替えがTV２側で行われるようにしてもよい。
【０１４７】
図１２は、３Ｄ画像表示システムの他の構成例を示す図である。
【０１４８】
図１２の３Ｄ画像表示システムは、送信装置６１と表示制御装置６２から構成される。表示制御装置６２は、例えばTV２の内部に設けられる装置であり、HDMI規格のケーブルを介して、TV２とは別の筐体の装置として外部に設けられる送信装置６１と通信を行う。
【０１４９】
図１２の３Ｄ画像表示システムにおいては、CM区間の検出が送信装置６１により行われ、CM区間の情報が３Ｄコンテンツとともに送信装置６１から表示制御装置６２に送信される。表示制御装置６２においては、送信装置６１から送信されてきた３Ｄコンテンツが再生され、現在の再生位置が番組本編区間であるかCM区間であるかに応じて画像の表示が切り替えられる。
【０１５０】
図１２に示すように、送信装置６１は、システムコントローラ７１、ユーザI/F７２、記録媒体制御部７３、記録媒体７４、再生処理部７５、特徴抽出部７６、および送信部７７から構成される。ユーザI/F７２、記録媒体制御部７３、記録媒体７４、再生処理部７５、特徴抽出部７６は、それぞれ、図３のユーザI/F１２、記録媒体制御部１３、記録媒体１４、再生処理部１５、および特徴抽出部１８に対応する。
【０１５１】
システムコントローラ７１は、ユーザI/F７２から供給されるユーザの操作の内容を表す信号に従って、送信装置６１の全体の動作を制御する。
【０１５２】
例えば、システムコントローラ７１は、特徴抽出部７６から供給された特徴データに基づいて、再生の対象とする番組のCM区間を検出する。システムコントローラ７１は、検出したCM区間の情報を送信部７７に出力する。
【０１５３】
ユーザI/F７２は、再生の対象とする番組の選択操作などの、リモートコントローラに対するユーザの操作を検出し、その内容を表す信号をシステムコントローラ７１に出力する。
【０１５４】
記録媒体制御部７３は、図示せぬアンテナからの信号に基づいて、放送された３Ｄコンテンツを受信し、記録媒体７４に記録させる。記録媒体制御部７３は、記録媒体７４に記録されている３Ｄコンテンツの再生が指示された場合、再生の対象とする３Ｄコンテンツを再生処理部７５に出力させる。また、記録媒体制御部７３は、再生の対象とする３Ｄコンテンツを送信部７７に出力する。
【０１５５】
再生処理部７５は、再生の対象とする３Ｄコンテンツに対して、圧縮されているデータを伸張するデコード処理等の再生処理を施す。再生処理部７５は、再生処理を施すことによって得られた３Ｄ画像のデータ（左目用画像のデータと右目用画像のデータ）と音声データを特徴抽出部７６に出力する。なお、特徴抽出部７６に供給され、特徴抽出の対象になる画像データは、３Ｄコンテンツに含まれる左目用画像のデータと右目用画像のデータのうちの一方であってもよい。また、画像データと音声データのうちのいずれか一方が特徴抽出の対象として用いられるようにしてもよい。
【０１５６】
特徴抽出部７６は、再生処理部７５から供給された画像データと音声データの特徴を抽出し、抽出した特徴を表すデータである特徴データをシステムコントローラ７１に出力する。例えば、画像データからはシーンチェンジの位置が検出され、音声データからは無音区間の位置が検出される。
【０１５７】
送信部７７は、記録媒体制御部７３から供給された３ＤコンテンツをHDMI規格のケーブルを介して表示制御装置６２に送信する。また、送信部７７は、システムコントローラ７１から供給されたCM区間の情報を、HDMI規格のversion1.4で規定されるHDMI Vender Specific InfoFrame Packetなどに格納して表示制御装置６２に送信する。
【０１５８】
HDMI Vender Specific InfoFrame Packetは、各ベンダーが規定した制御コマンドの送受信などに用いられるパケットであり、送信側の機器から受信側の機器に対して、HDMIのCEC(Consumer Electronics Control)線を介して送信される。CM区間の情報には、CM区間の位置（時刻）を表す情報が含まれる。なお、CM区間の情報ではなく、番組本編区間の情報が送信されるようにしてもよい。
【０１５９】
表示制御装置６２は、システムコントローラ８１、受信部８２、再生処理部８３、コンテンツ制御部８４、表示制御部８５、ディスプレイ８６、および信号出力部８７から構成される。再生処理部８３、コンテンツ制御部８４、表示制御部８５、信号出力部８７は、それぞれ、図３の再生処理部１５、コンテンツ制御部１６、表示制御部１７、信号出力部１９に対応する。
【０１６０】
システムコントローラ８１は、表示制御装置６２の全体の動作を制御し、送信装置６１から送信されてきた３Ｄコンテンツの再生を行う。また、システムコントローラ８１は、３Ｄコンテンツの再生中、現在の再生位置が番組本編区間であるかCM区間であるかを送信装置６１から送信されてきたCM区間の情報に基づいて判定する。システムコントローラ８１は、番組本編区間においては３Ｄ再生を行い、CM区間においては２Ｄ再生を行うように各部を制御する。
【０１６１】
受信部８２は、送信装置６１から送信されてきた３ＤコンテンツとCM区間の情報を受信し、３Ｄコンテンツを再生処理部８３に、CM区間の情報をシステムコントローラ８１にそれぞれ出力する。
【０１６２】
再生処理部８３は、受信部８２から供給された３Ｄコンテンツに対して、圧縮されているデータを伸張するデコード処理等の再生処理を施す。再生処理部８３は、再生処理を施すことによって得られた３Ｄ画像のデータをコンテンツ制御部８４に出力する。コンテンツの画像にあわせて音声を出力するために用いられる音声データは、図示せぬ回路を介して外部のスピーカ等に出力される。
【０１６３】
コンテンツ制御部８４は、現在の再生位置が番組本編区間の位置であり、３Ｄ画像を表示する場合、再生処理部８３から供給された３Ｄ画像のデータを表示制御部８５に出力する。
【０１６４】
また、コンテンツ制御部８４は、現在の再生位置がCM区間の位置であり、２Ｄ画像を表示する場合、３Ｄ画像のデータとして再生処理部８３から供給された左目用画像のデータと右目用画像のデータのうちの一方を表示制御部８５に出力する。
【０１６５】
表示制御部８５は、コンテンツ制御部８４から供給された画像データに基づいて、番組本編区間の画像を３Ｄ画像としてディスプレイ８６に表示させ、CM区間の画像を２Ｄ画像としてディスプレイ８６に表示させる。
【０１６６】
信号出力部８７は、制御信号を送信し、図４を参照して説明したようにしてシャッタメガネ３のシャッタ動作を制御する。
【０１６７】
このような構成を有する３Ｄ画像表示システムにおいても、番組本編区間の画像を３Ｄ画像として表示し、CM区間の画像を２Ｄ画像として表示することが可能になる。
【０１６８】
以上においては、３Ｄ画像の視聴方式がメガネを用いた方式であるものとしたが、裸眼方式であってもよい。裸眼方式の場合であっても、番組本編区間においてはユーザが３Ｄ画像を見ることができるように画像の表示が制御され、CM区間においてはユーザが２Ｄ画像を見ることができるように画像の表示が制御される。
【０１６９】
また、以上においては、２Ｄ画像に基づいて３Ｄ画像を生成する場合、１枚の画像を左目用画像とし、その画像を遅延させた画像を右目用画像とする場合について説明したが、１枚の画像を左目用画像とし、その画像に映る被写体の位置をずらした画像を右目用画像として用いるようにしてもよい。
【０１７０】
上述した一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、または汎用のパーソナルコンピュータなどに、プログラム記録媒体からインストールされる。
【０１７１】
図１３は、上述した一連の処理をプログラムにより実行するコンピュータのハードウェアの構成例を示すブロック図である。
【０１７２】
CPU(Central Processing Unit)１０１、ROM(Read Only Memory)１０２、RAM(Random Access Memory)１０３は、バス１０４により相互に接続されている。
【０１７３】
バス１０４には、さらに、入出力インタフェース１０５が接続されている。入出力インタフェース１０５には、キーボード、マウスなどよりなる入力部１０６、ディスプレイ、スピーカなどよりなる出力部１０７が接続される。また、入出力インタフェース１０５には、ハードディスクや不揮発性のメモリなどよりなる記憶部１０８、ネットワークインタフェースなどよりなる通信部１０９、リムーバブルメディア１１１を駆動するドライブ１１０が接続される。
【０１７４】
以上のように構成されるコンピュータでは、CPU１０１が、例えば、記憶部１０８に記憶されているプログラムを入出力インタフェース１０５及びバス１０４を介してRAM１０３にロードして実行することにより、上述した一連の処理が行われる。
【０１７５】
CPU１０１が実行するプログラムは、例えばリムーバブルメディア１１１に記録して、あるいは、ローカルエリアネットワーク、インターネット、デジタル放送といった、有線または無線の伝送媒体を介して提供され、記憶部１０８にインストールされる。
【０１７６】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１７７】
本発明の実施の形態は、上述した実施の形態に限定されるものではなく、本発明の要旨を逸脱しない範囲において種々の変更が可能である。
【符号の説明】
【０１７８】
１  表示制御装置，  ２  TV，  ３  シャッタメガネ，  １１  システムコントローラ，  １２  ユーザI/F，  １３  記録媒体制御部，  １４  記録媒体，  １５  再生処理部，  １６  コンテンツ制御部，  １７  表示制御部，  １８  特徴抽出部，  １９  信号出力部，  ３１  CM検出部，  ３２  制御部
【図１】
2011101230.tif 000003
【図２】
2011101230.tif 000004
【図３】
2011101230.tif 000005
【図４】
2011101230.tif 000006
【図５】
2011101230.tif 000007
【図６】
2011101230.tif 000008
【図７】
2011101230.tif 000009
【図８】
2011101230.tif 000010
【図９】
2011101230.tif 000011
【図１０】
2011101230.tif 000012
【図１１】
2011101230.tif 000013
【図１２】
2011101230.tif 000014
【図１３】
2011101230.tif 000015